(57)【要約】【課題】  見た目のよい印刷物を顧客に持たせ、顧客の購買意欲を上昇させることができる商品情報提供システムを提供する。【解決手段】  店舗Ｓ内に設置され、商品の商品名、価格、販売会社等の商品データを検索可能な商品情報提供システム３０において、モニタ装置３８と、プリンター４２と、各商品データと、各商品の外観を表示した外観画像データとが互いに関連付けされて記憶されている記憶手段５０と、商品を検索するための検索キーを操作者が入力可能な入力手段４０，４１と、入力された検索キーに基づいて記憶手段５０内のデータを検索する検索手段４４と、検索結果をモニタ装置３８に表示させ、操作者の指示に基づいて検索結果をプリンター４２によって印刷させるように制御する制御手段３６とを具備し、制御手段３６は、検索結果をプリンター４２によって印刷させる際には、商品の外観も検索結果と合わせて印刷するように制御する。【選択図】        図５
2005115547.tif 000002
【特許請求の範囲】
【請求項１】
店舗内に設置され、商品の商品名、価格、販売会社等の商品データを検索可能な商品情報提供システムにおいて、
モニタ装置と、
プリンターと、
前記各商品データと、各商品の外観を表示した外観画像データとが互いに関連付けされて記憶されている記憶手段と、
商品を検索するための検索キーを操作者が入力可能な入力手段と、
該入力手段から入力された検索キーに基づいて記憶手段内のデータを検索する検索手段と、
該検索手段による検索結果を前記モニタ装置に表示させ、操作者の指示に基づいて検索結果を前記プリンターによって印刷させるように制御する制御手段とを具備し、
前記制御手段は、
操作者の指示に基づいて検索結果を前記プリンターによって印刷させる際には、前記外観画像データを抽出し、商品の外観も検索結果と合わせて印刷するように制御することを特徴とする商品情報提供システム。
【請求項２】
前記商品は、音楽コンテンツであり、
前記外観画像データは、音楽コンテンツのジャケット写真データであることを特徴とする請求項１記載の商品情報提供システム。
【請求項３】
前記記憶手段には、操作者に試聴させるための試聴用データが前記各データと互いに関連付けされて記憶されており、
前記試聴用データを音声として再生する再生手段が設けられていることを特徴とする請求項１または請求項２記載の商品情報提供システム。
【請求項４】
前記商品は、書籍であり、
前記外観画像データは、書籍の表表紙、背表紙若しくは裏表紙またはこれらの組合わせであることを特徴とする請求項１記載の商品情報提供システム。
【請求項５】
前記記憶手段および前記検索手段は、サーバ内に設けられ、
前記モニタ装置、前記プリンター、前記入力手段および前記制御手段は、サーバと通信回線によって通信可能に接続され、且つ店舗内で顧客が来店する販売スペース内に設置された端末機内に設けられていることを特徴する請求項１〜請求項４のうちのいずれか１項記載の商品情報提供システム。
【発明の詳細な説明】
【技術分野】
【０００１】
本発明は、店舗に来店した顧客が商品の情報を取得するための商品情報提供システムに関する。
【背景技術】
【０００２】
ＣＤショップ等の販売店あるいは書店には、顧客がタイトル名や演奏者名等から該当する音楽コンテンツを検索したり、著者名や出版社名から該当する書籍を検索できる検索システムが設置されていることが多い。
また、このような検索システムの機能として、顧客が音楽コンテンツを試聴できるような機能が付加されて、試聴システムとして構成されているものも多い。
以下、このような検索システムの一例として従来から知られている音楽コンテンツの試聴システムについて説明する。
音楽試聴システムは、店舗内に設置された複数台の試聴機と、試聴機に接続された１台のサーバとから構成されている。サーバと各試聴機とはＬＡＮケーブル等によって接続されている。
【０００３】
試聴機は、スピーカやヘッドフォン等の再生手段と、店舗に訪れた顧客が試聴を欲する音楽コンテンツを指定するために音楽コンテンツのデータを入力可能な入力手段とを備えている。入力手段としては、モニタ上に表示されたコンテンツ名等を直接顧客が選択できるタッチパネルや、あるいはメディアのケースに付いているバーコードを読み取るバーコードリーダ等がある。
サーバ内の記憶手段（ハードディスク等）には、音楽コンテンツの試聴用データがデジタルデータとして記録されており、試聴機において顧客が指定した音楽コンテンツを記憶手段から取り出して試聴機に送信する（例えば、特許文献１、特許文献２参照）。
【０００４】
上述したような試聴システムにおいては、顧客が試聴した結果、その曲を気にいったとしても、すぐには購入しないで次回来店するときに購入しようとする状況も存在する。かかる状況下では、試聴した音楽コンテンツの演奏者名や価格等を忘れないように、これらの音楽コンテンツに関するデータを記録したものが必要となってくる。
したがって試聴システムや検索システムにおいては、検索した内容（タイトル名、演奏者名、発売日、価格、発売者等の各データ）をプリントアウトすることができる構成が採用されてきている。すなわち、現状の音楽コンテンツの試聴システムや音楽コンテンツの検索システムにはプリンターが内蔵され、顧客が検索した内容を所定の用紙に印刷して出力するように設けられている。
【０００５】
【特許文献１】特開平１０−３０２１５０号公報（図１〜図６等）
【特許文献２】特開２００２−１４００７９号公報（図１、図２等）
【発明の開示】
【発明が解決しようとする課題】
【０００６】
上述したような従来の検索システムにおいて、たとえタイトル名や演奏者名等のデータが印刷された印刷物を顧客に持たせて、次回の来店時には確実に購入してもらおうとした場合であっても、試聴してから日数が経過すれば試聴したときの感動や好印象も薄れ、購買意欲が低下していくという課題があった。
また、単にタイトル名や演奏者名が印刷してあるだけでは見た目もあまり美しくなく、顧客も何かの拍子に捨ててしまいがちであるという課題があった。
【０００７】
本発明者は、上記課題を解決すべく検討した結果、検索した結果の商品について何らかのイメージデータ等を印刷することで、見た目の良い印刷物とし、且つ顧客の購買意欲を上昇させることができるのではないかと考え、本発明に想到した。
【０００８】
そこで、本発明の目的は、見た目のよい印刷物を顧客に持たせ、顧客の購買意欲を上昇させることができる商品情報提供システムを提供することにある。
【課題を解決するための手段】
【０００９】
本発明にかかる商品情報提供システムによれば、店舗内に設置され、商品の商品名、価格、販売会社等の商品データを検索可能な商品情報提供システムにおいて、モニタ装置と、プリンターと、前記各商品データと、各商品の外観を表示した外観画像データとが互いに関連付けされて記憶されている記憶手段と、商品を検索するための検索キーを操作者が入力可能な入力手段と、該入力手段から入力された検索キーに基づいて記憶手段内のデータを検索する検索手段と、該検索手段による検索結果を前記モニタ装置に表示させ、操作者の指示に基づいて検索結果を前記プリンターによって印刷させるように制御する制御手段とを具備し、前記制御手段は、操作者の指示に基づいて検索結果を前記プリンターによって印刷させる際には、前記外観画像データを抽出し、商品の外観も検索結果と合わせて印刷するように制御することを特徴としている。
この構成を採用することによって、検索した商品の外観が他のデータ（商品名、価格等の文字データ）と共に印刷されるので、見た目に良好な印刷物を提供することができ、且つ顧客にとっては印刷物を見ただけで検索した商品のイメージを思いおこすことになり、検索した商品の購買意欲を上昇させることができる。
【００１０】
また、前記商品は、音楽コンテンツであり、前記外観画像データは、音楽コンテンツのジャケット写真データであることを特徴としてもよい。
これによれば、ＣＤショップ等の店舗に来店した顧客が検索した内容を印刷して持ち帰る場合に、ジャケット写真も印刷されるので、検索した音楽コンテンツのイメージを顧客が長く維持できることとなり、ＣＤ等の音楽コンテンツの売り上げ向上に寄与することとなる。
【００１１】
さらに、前記記憶手段には、操作者に試聴させるための試聴用データが前記各データと互いに関連付けされて記憶されており、前記試聴用データを音声として再生する再生手段が設けられていることを特徴としている。
この構成によれば、試聴もできるシステムでジャケット写真を印刷可能とするので、試聴した結果の好印象のイメージをジャケット写真に対して植え付けることができ、購買意欲を高めると言う作用効果をより強くさせることができる。
【００１２】
さらに、前記商品は、書籍であり、前記外観画像データは、書籍の表表紙、背表紙若しくは裏表紙またはこれらの組合わせであることを特徴としてもよい。
これによれば、書店に来店した顧客が検索した内容を印刷して持ち帰る場合に、表紙等も印刷されるので、検索した書籍のイメージを顧客が長く維持できることとなり、書籍の売り上げ向上に寄与することとなる。
【００１３】
なお、前記記憶手段および前記検索手段は、サーバ内に設けられ、前記モニタ装置、前記プリンター、前記入力手段および前記制御手段は、サーバと通信回線によって通信可能に接続され、且つ店舗内で顧客が来店する販売スペース内に設置された端末機内に設けられていることを特徴としてもよい。
この構成によれば、端末機を複数台設けた場合であっても、各端末機はデータベースが設けられているサーバから検索結果であるデータを受信するので、端末機の大きさを大型化せずに端末機の台数を増やすことができる。
【発明の効果】
【００１４】
本発明の商品情報提供システムによれば、操作者（顧客）に渡す印刷物の見た目を良好にすることができる。また、印刷物を見た操作者（顧客）にとっては商品の好印象等をイメージしやすく購買意欲が低下しないようにすることができる。
このため、最終的に、かかるシステムを設置した店舗での売り上げ増に貢献できるという作用効果を奏する。
【発明を実施するための最良の形態】
【００１５】
商品の情報を提供する装置において、検索結果を印刷する際に商品の外観も印刷するようにした。
【実施例１】
【００１６】
以下、商品情報提供システムの一例として、ＣＤショップ等に設置されて音楽コンテンツの情報を提供可能であって、且つ音楽コンテンツを試聴できる試聴システムについて説明する。
図１に、本発明の試聴システムの構成を示す。
試聴システム３０は、店舗Ｓ内に設置された複数台の試聴機３２，３２，・・と、これら試聴機３２に接続された１台のサーバ３３とを具備している。
サーバ３３と、各試聴機３２との間は、ハブ３１を介したＬＡＮケーブル３５によって接続されている。
サーバ３３は、店舗Ｓのバックヤード内に設置され、顧客が直接操作することはできず、店員等が操作可能となっている。
【００１７】
次に、試聴機３２の構成について図２に基づいて説明する。
試聴機３２は、試聴機３２全体の動作を統括制御する制御部３６と、サーバ３３との間でデータまたは信号の授受を行なう送受信部３７とを具備している。制御部３６は、ＣＰＵ３６ａと、ＲＯＭおよびＲＡＭ等のメモリ３６ｂとから構成されており、予めメモリ３６ｂ等に記憶されている制御プログラムに基づいて動作する。
【００１８】
さらに試聴機３２は、ＣＲＴまたは液晶等の表示手段であるモニタ装置３８と、顧客が音楽コンテンツの検索を行なう際に検索キー等の情報を入力可能な入力用スイッチ等から成る入力装置４０と、プリンター４２と、音声を再生する再生装置３９を具備している。
入力装置４０としては、モニタ装置３８上に文字等が表示されて顧客が触れることで情報を入力可能なタッチパネル方式を採用している場合には、モニタ装置３８自身が入力装置４０となる場合もある。また、単に文字入力をする入力装置とは別個に、バーコードリーダ４１を設けるとよい。
バーコードリーダ４１を設けることによって、顧客が試聴を欲する場合に、顧客は入力装置４０等を操作して、音楽コンテンツを特定する情報を入力する手間を省くことができる。すなわち、顧客は、音楽コンテンツ店舗内に陳列されている試聴したいメディアを試聴機３２まで持ってきて、このメディアに付されたバーコードをバーコードリーダ４１で読み取らせ、バーコードからこの音楽コンテンツの曲名等を読み取るのである。
【００１９】
プリンター４２は、入力装置４０によって顧客からの指示があった場合に、モニタ装置３８に表示されている内容を所定の用紙に印刷することができる。プリンターの種類としては、インクジェット、レーザー、サーマル等があるが、特にいずれかの種類に限定されるものではない。
【００２０】
再生装置３９は、スピーカ１１やヘッドフォン１２と、サーバ３３から送信されてきた試聴用データをＤ／Ａ変換等の信号処理をする回路であるオーディオプロセッサ１３とから構成されている。
顧客は、主としてヘッドフォン１２を用いて試聴用データを聴くことになる。
【００２１】
次に、サーバ３３の構成について図３に基づいて説明する。
サーバ３３は、サーバ３３全体の動作を統括制御する制御部４４と、各試聴機３２との間でデータまたは信号の授受を行なう送受信部４６とを具備している。制御部４４は、ＣＰＵ４４ａと、ＲＯＭおよびＲＡＭ等のメモリ４４ｂとから構成されており、予めメモリ４４ｂ等に記憶されている制御プログラムに基づいて動作する。
【００２２】
サーバ３３には、キーボード等の入力装置４８が設けられており、店舗Ｓの従業員等が操作可能に設けられている。
また、サーバ３３にはＨＤＤ（ハードディスクドライブ）等から成る記憶装置５０が設けられており、音楽コンテンツに関する各データが記憶されたデータベースＤを記憶している。具体的には記憶装置５０には、音楽コンテンツの試聴用データ、タイトル名、演奏者名、発売日、販売価格、およびジャケット写真等の各データが相互に関連づけされたテーブルから構成されたデータベースＤが設けられている。
さらに、記憶装置５０には、音声データである試聴用データＴ、および静止画像データであるジャケット写真データＪが記憶されている。
【００２３】
制御部４４が特許請求の範囲の検索手段に該当する。
すなわち、制御部４４は、いずれかの試聴機３２から検索キーが送信されてきた場合には、その検索キーに基づいて記憶装置５０に記憶されているデータベースＤ内を検索し、検索キーを送信してきた試聴機３２へ検索結果を送信することができる。
【００２４】
データベース化されたデータの一例について図４に基づいて説明する。
音楽コンテンツを特定するためのデータとしては、基本的に以下のような項目が挙げられる。
すなわち、タイトル名、演奏者名、個別の曲名、個別の曲毎および全体の演奏時間、価格、盤種、発売日、発売元、並びにレコードＮｏ．等が各コンテンツ毎にデータとして記憶されている。
ここで、盤種とはマキシシングル、ＣＤシングル、またはアルバム等の種類をいう。レコードＮｏ．とは、当該音楽コンテンツの識別に用いられるアルファベットや数字の組合わせから成る文字列であり、商品番号ということもある。
【００２５】
また、これらの音楽コンテンツを特定するデータと関連付けされて、各曲毎に試聴用データＴが音声データとして記憶されている。試聴用データのデータ形式としては、ｗａｖｅ、ＭＰ３等の形式を採用することができる。
さらに、記憶装置５０には、音楽コンテンツのメディア毎にジャケット写真のジャケット写真データＪが静止画像データとして記憶されている。ジャケット写真データのデータ形式としては、ｊｐｅｇやＴＩＦＦ等の形式を採用することができる。
【００２６】
続いて、本システムの検索時および試聴時の動作について説明する。
まず、検索時の動作について説明する。
顧客が試聴機３２の入力装置４０を用いて検索キーとなる単語を入力していくと、制御部３６は、入力装置４０から入力された検索キーをサーバ３３へ送信する。
サーバ３３の制御部４４では、受信した検索キーを含む音楽コンテンツをデータベースＤ内で検索し、該当する音楽コンテンツにかかる各データ（ジャケット写真データを含む）を抽出して試聴機３２へ送信する。
【００２７】
試聴機３２では、サーバ３３から受信した検索結果を一旦メモリ３６ｂ内に記憶する。そして、試聴機３２の制御部３６は、メモリ３６ｂ内に記憶された検索結果をモニタ装置３８に表示させる。
表示した検索結果は、顧客が必要と思う場合、プリントアウトすることができる。すなわち、顧客は入力装置４０等に設けられている「印刷」スイッチを押下するか、あるいはタッチパネルによりモニタ装置３８の画面に「印刷」スイッチが表示されている場合には、画面上の「印刷」スイッチに触れる。
すると、制御部３６が、プリンター４２に対し、メモリ３６ｂ内に記憶されている各データを読み出し、予め決められたフォーマットで印刷するように制御する。このとき、制御部３６はサーバ３３から送信されてきたジャケット写真データも印刷させる。
【００２８】
次に、試聴時の動作について説明する。
顧客が試聴したいと欲するメディアを店舗内で見つけだし、このメディアに付されているバーコードをバーコードリーダ４１で読み取る。バーコードリーダ４１で読み取られたバーコードから、制御部３６では曲名、演奏者名、あるいはレコードＮｏ．等を識別する。これらの識別された情報が検索キーとなって、サーバ３３へ送信される。
【００２９】
サーバ３３の制御部４４では、受信した検索キーを含む音楽コンテンツをデータベースＤ内で検索し、該当する音楽コンテンツにかかる各データ（試聴用データとジャケット写真データを含む）を抽出して試聴機３２へ送信する。
【００３０】
試聴機３２では、サーバ３３から受信した検索結果を一旦メモリ３６ｂ内に記憶する。そして、試聴機３２の制御部３６は、メモリ３６ｂ内に記憶された検索結果をモニタ装置３８に表示させる。
また、サーバ３３から送信されてきた試聴用データは、ヘッドフォン等の再生装置に入力されて音声として再生される。
なお、顧客が、当該音楽コンテンツの各データを印刷した印刷物を欲する場合には、顧客は入力装置４０等に設けられている「印刷」スイッチを押下するか、あるいはタッチパネルによりモニタ装置３８の画面に「印刷」スイッチが表示されている場合には、画面上の「印刷」スイッチに触れる。
すると、制御部３６が、プリンター４２に対し、メモリ３６ｂ内に記憶されている各データを読み出し、予め決められたフォーマットで印刷するように制御する。このとき、制御部３６はサーバ３３から送信されてきたジャケット写真データも印刷させる。
【００３１】
図５に、プリントアウトした用紙の概略を示し、これに基づいて印刷する内容について説明する。
本システムによれば、検索して得られた結果であるタイトル名、演奏者名、価格等の文字による情報に加えて、画像情報であるジャケット写真もプリントアウトされる。
すなわち、本実施例の用紙は縦に長い形状を成しており、用紙の最上部には本システムの名称５２が印刷されている。
次に、検索して得られた結果のジャケット写真５４が印刷される。
ジャケット写真５４の下方には、検索して得られた各データ５６が印刷される。本実施例では、タイトル（各曲名）、アーティスト（演奏者名）、発売日、メディア、商品番号（レコードＮｏ．）、発売会社（発売者）の順で上方から下方にかけて印刷される。
各データ５６の下方には、本システムを設置している店舗の名称、住所、連絡先等の店舗情報５８が印刷される。
【００３２】
なお、印刷した印刷物としては図５に示したような形態に限定されることはなく、他の形態であってもよいことはもちろんである。
また、ジャケット写真としては表側の写真だけでなく側面や裏側の写真を合わせて印刷するようにしてもよい。
【００３３】
なお、上述した実施例においては、商品情報提供システムの一例として試聴機を有する試聴システムについて説明した。
しかし、本発明は、試聴システムに限定されることはなく、単に音楽コンテンツのデータを提供するだけのシステムに採用することができる。
【実施例２】
【００３４】
商品情報提供システムの他の例として、書店内に設置され、顧客が書籍について検索を行なう書籍検索システムであってもよい。
書籍検索システムの全体構成は、1台のサーバと複数の端末機とから構成され、図１と同様の構成を有するものであるからここでは図面は省略する。
【００３５】
まず、図６に基づいて端末機の内部構成について説明する。
端末機６０は、端末機６０全体の動作を統括制御する制御部６２と、サーバ６３との間でデータまたは信号の授受を行なう送受信部６４とを具備している。制御部６２は、ＣＰＵ６２ａと、ＲＯＭおよびＲＡＭ等のメモリ６２ｂとから構成されており、予めメモリ６２ｂ等に記憶されている制御プログラムに基づいて動作する。
【００３６】
さらに端末機６０は、ＣＲＴまたは液晶等の表示手段であるモニタ装置６５と、顧客が書籍の検索を行なう際に検索キー等の情報を入力可能な入力用スイッチ等から成る入力装置６７と、プリンター６８とを具備している。
入力装置６７としては、モニタ装置６５上に文字等が表示されて顧客が触れることで情報を入力可能なタッチパネル方式を採用している場合には、モニタ装置６５自身が入力装置６７となる場合もある。
【００３７】
プリンター６８は、入力装置６７によって顧客からの指示があった場合に、モニタ装置６５に表示されている内容を所定の用紙に印刷することができる。プリンターの種類としては、インクジェット、レーザー、サーマル等があるが、特にいずれかの種類に限定されるものではない。
【００３８】
次に、サーバ６３の構成について図７に基づいて説明する。
サーバ６３は、サーバ６３全体の動作を統括制御する制御部７０と、各端末機６０との間でデータまたは信号の授受を行なう送受信部７２とを具備している。制御部７０は、ＣＰＵ７０ａと、ＲＯＭおよびＲＡＭ等のメモリ７０ｂとから構成されており、予めメモリ７０ｂ等に記憶されている制御プログラムに基づいて動作する。
【００３９】
サーバ６３には、キーボード等の入力装置７４が設けられており、店舗内の従業員等が操作可能に設けられている。
また、サーバ６３にはＨＤＤ（ハードディスクドライブ）等から成る記憶装置７５が設けられており、書籍に関する各データが記憶されたデータベースＤを記憶している。具体的には記憶装置５０には、書籍の著者、題名、発売日、販売価格および発行者等の各データが相互に関連づけされたテーブルから構成されたデータベースＤが設けられている。
さらに、記憶装置５０には、静止画像データである書籍の表表紙、背表紙、裏表紙等を画像データとした表紙データＨが記憶されている。
【００４０】
制御部７０が特許請求の範囲の検索手段に該当する。
すなわち、制御部７０は、いずれかの端末機６０から検索キーが送信されてきた場合には、その検索キーに基づいて記憶装置７５に記憶されているデータベースＤ内を検索し、検索キーを送信してきた試聴機６０へ検索結果を送信することができる。
【００４１】
続いて、本システムの検索時の動作について説明する。
顧客が端末機６０の入力装置６７を用いて検索キーとなる単語を入力していくと、制御部６２は、入力装置６７から入力された検索キーをサーバ６３へ送信する。
サーバ６３の制御部７０では、受信した検索キーを含む書籍をデータベースＤ内で検索し、該当する書籍にかかる各データ（表紙データを含む）を抽出して端末機６０へ送信する。
【００４２】
端末機６０では、サーバ６３から受信した検索結果を一旦メモリ６２ｂ内に記憶する。そして、端末機６０の制御部６２は、メモリ６２ｂ内に記憶された検索結果をモニタ装置６５に表示させる。
表示した検索結果は、顧客が必要と思う場合、プリントアウトすることができる。すなわち、顧客は入力装置６７等に設けられている「印刷」スイッチを押下するか、あるいはタッチパネルによりモニタ装置６５の画面に「印刷」スイッチが表示されている場合には、画面上の「印刷」スイッチに触れる。
すると、制御部６２が、プリンター６８に対し、メモリ６２ｂ内に記憶されている各データを読み出し、予め決められたフォーマットで印刷するように制御する。このとき、制御部６２はサーバ６３から送信されてきた表紙データも印刷させる。
【００４３】
本実施例の印刷物の例としては、図５に示したようなものと同様であるのでここでは図示しないが、図５のような形態に限定されることはなく、他の形態であってもよいことはもちろんである。
また、印刷物に印刷される書籍の外観としては、表表紙、背表紙または裏表紙それぞれ単独の外観であってもよいし、これらを互いに組み合わせたものであってもよい。
【００４４】
以上、説明してきた本発明の商品情報提供システムは、サーバと端末とから成る構成に限定されることはなく、他の機器とは接続されていない単独の機器から成るものであってもよい。
また、商品の例としては音楽コンテンツと書籍に限定されるものではなく、その他様々な商品に適用することができる。
【００４５】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４６】
【図１】本発明にかかる商品情報提供システムの全体構成を示す説明図である。
【図２】商品情報提供システムを構成する試聴機の内部構成を説明する説明図である。
【図３】商品情報提供システムを構成するサーバの内部構成を説明する説明図である。
【図４】音楽コンテンツに関してデータベース化されたデータの一例を示す説明図である。
【図５】音楽コンテンツに関する各データが印刷された印刷物を示す説明図である。
【図６】商品情報提供システムの他の実施例を構成する端末機の内部構成を説明する説明図である。
【図７】商品情報提供システムの他の実施例を構成するサーバの内部構成を説明する説明図である。
【符号の説明】
【００４７】
１１   スピーカ
１２   ヘッドフォン
１３   オーディオプロセッサ
３０   試聴システム
３１   ハブ
３２   試聴機
３３   サーバ
３５   ケーブル
３６，４４，６２，７０      制御部
３７，４６，６４，７２      送受信部
３８，６５    モニタ装置
３９   再生装置
４０，４８，６７，７４      入力装置
４１   バーコードリーダ
４２，６８    プリンター
５０，７５    記憶装置
５２   名称
５４   ジャケット写真
５６   各データ
５８   店舗情報
Ｓ     店舗
Ｄ     データベース
Ｔ     試聴用データ
Ｊ     ジャケット写真データ
Ｈ     表紙データ
【図１】
2005115547.tif 000003
【図２】
2005115547.tif 000004
【図３】
2005115547.tif 000005
【図４】
2005115547.tif 000006
【図５】
2005115547.tif 000007
【図６】
2005115547.tif 000008
【図７】
2005115547.tif 000009